(57)【要約】【課題】  高精度の印刷を必要とすることなく高い表示品質を得ることができ、低コストの生産を可能にし、光漏れなどの不具合を生じにくくできる可変表示構造及び可変構造を備えるスイッチを提供すること。【解決手段】  第１光源３の波長のみを透過させる第１印刷部分１０ｂと、第２光源４の波長のみを透過させる第２印刷部分１０ｃと、第１光源３の波長と第２光源４の波長を透過させない背景印刷部分１０ｅと、透明シート１０と、第１光源３、第２光源４との間で光を透明シート１０に向かわせやすくするガイドライト９と、第１表示１２と第２表示１３の重複する部分に重なるガイドライト９の部分で、通過する光量を抑制する梨地加工部９ａとを備え、第１表示１２と第２表示１３の重複する部分には印刷を施さない。【選択図】        図１
2005241759.tif 000002
【特許請求の範囲】
【請求項１】
透光性のあるシートに波長の異なる第１光源の光と第２光源の光を切り換えて投光させ、
第１表示と第２表示を行わせる可変表示構造であって、
前記シートに施された、第１光源の波長のみを透過させる第１印刷部分と、
前記シートに施された、第２光源の波長のみを透過させる第２印刷部分と、
前記シートに施された、第１光源の波長と第２光源の波長を透過させない第３印刷部分と、
前記シートと、前記第１光源、第２光源との間で光をシートに向かわせやすくするガイドライトと、
前記第１表示と前記第２表示の重複する部分に重なる前記ガイドライトの部分で、通過する光量を抑制する調光面部と、
を備え、
前記第１表示と前記第２表示の重複する部分には印刷を施さない、
ことを特徴とする可変表示構造。
【請求項２】
請求項１に記載された可変表示構造において、
前記調光面部が、
前記ガイドライトのシート側の面に梨地加工を施したものであることを特徴とする可変表示構造。
【請求項３】
請求項１に記載された可変表示構造において、
前記調光面部が、
前記ガイドライトのシート側の面にローレット加工を施したものであることを特徴とする可変表示構造。
【請求項４】
請求項１に記載された可変表示構造において、
前記調光面部が、
前記ガイドライトのシート側の面に光を拡散させる光拡散シートを設けたものであることを特徴とする可変表示構造。
【請求項５】
請求項１〜請求項４に記載された可変表示構造において、
前記ガイドライトの第１光源及び第２光源側の面に梨地加工を施して、第１光源及び第２光源の光を拡散させるようにしたことを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来においては、第１波長領域の青色光を通過させる第１領域、第２波長領域の緑色光を通過させる第２領域、背景を形成するその他の領域を箔シート後面にプリント印刷し、後方から、青色光の第１光源と緑色光の第２光源で照明している（例えば、特許文献１参照。）。
【特許文献１】特開２００１−１００６７９号公報（第２−８頁、全図）
【発明の開示】
【発明が解決しようとする課題】
【０００３】
しかしながら、従来にあっては、印刷が全て片面に施されており、印刷する部分が隣り合う為、高精度の印刷が必要であり、高コストである。また、隣り合う印刷部分が重なった場合、そのラップ部分が目立ってしまうため、表示が荒れてしまう。また、印刷の位置ズレにより光漏れが発生し表示品質が低下する。
【０００４】
本発明は、上記問題点に着目してなされたもので、その目的とするところは、高精度の印刷を必要とすることなく高い表示品質を得ることができ、低コストの生産を可能にし、光漏れなどの不具合を生じにくくできる可変表示構造及び可変構造を備えるスイッチを提供することにある。
【課題を解決するための手段】
【０００５】
上記目的を達成するため、本発明では、透光性のあるシートに波長の異なる第１光源の光と第２光源の光を切り換えて投光させ、第１表示と第２表示を行わせる可変表示構造であって、前記シートに施された、第１光源の波長のみを透過させる第１印刷部分と、前記シートに施された、第２光源の波長のみを透過させる第２印刷部分と、前記シートに施された、第１光源の波長と第２光源の波長を透過させない第３印刷部分と、前記シートと、前記第１光源、第２光源との間で光をシートに向かわせやすくするガイドライトと、前記第１表示と前記第２表示の重複する部分に重なる前記ガイドライトの部分で、通過する光量を抑制する調光面部とを備え、前記第１表示と前記第２表示の重複する部分には印刷を施さないことを特徴とする。
【発明の効果】
【０００６】
よって、本発明にあっては、第１表示と第２表示の重なる意匠部分に印刷を行わない為、高精度の印刷が必要なく、低コストの生産が可能であると共に、光漏れなどの不具合を生じにくくでき、良好な表示品質を得ることができる。
【発明を実施するための最良の形態】
【０００７】
以下、本発明の可変表示構造を実現する実施の形態を、請求項１，２，６に係る発明に対応する実施例１と、請求項１，３に係る発明に対応する実施例２と、請求項１，４に係る発明に対応する実施例３と、請求項１，２，５に係る発明に対応する実施例４とに基づいて説明する。
【実施例１】
【０００８】
まず、構成を説明する。
図１は実施例１の可変表示構造を示す断面図である。図２は実施例１の可変表示構造のガイドライトの断面図である。図３は実施例１の可変表示構造の説明図である。図４は実施例１の可変表示構造の光の通過状態を示す説明図である。（光の通過状態を示すため一部のハッチングを省略）図５は実施例１の可変表示構造の表示例を示す説明図である。図６は実施例１の可変表示構造の第１印刷部分、第２印刷部分、第１表示と第２表示の重なり部分の説明図である。図７は実施例１の可変表示構造の第１印刷部分、第２印刷部分の特性と第１光源、第２光源の波長の関係を示す説明図である。
【０００９】
スイッチ１は、図１に示すように、まず、矩形枠状のスイッチフィニッシャ２の内部に矩形枠状のガイドハウジング７を設ける。
ガイドハウジング７には、矩形枠状のスイッチフィニッシャ２の開口面から開口面へ向かう方向、つまり前後面に摺動可能なレール部分を設ける。
スイッチフィニッシャ２及びガイドハウジング７の背面側には、開口を塞ぐ板状の基板６を設ける。
基板６の前面側、つまりスイッチフィニッシャ２の内部側には、波長が約５００nmをピークとする第１光源３と、波長が約６００nmをピークとする第２光源４、押されることによりON/OFFの操作入力を行うタクトスイッチ５を設ける。
【００１０】
第１光源３及び第２光源としては、異なる色を発光するＬＥＤがコスト抑制、メンテナンス性から好ましいが、別のものであってもよい。
次に内外で２重の枠部分を有するスライダ８を設ける。スライダ８の内側の枠部分は、第１光源３及び第２光源４側に行くに従って角錐状に内側が狭くなる形状にする。
スライダ８の内側枠部分には、図２，３に示す後方に行くに従って角錐状に狭くなり、光を発散させずに前方に向かって通過させやすくするガイドライト９を設ける。
【００１１】
ガイドライト９の前面側には、図３に示すように、透明シート１０を、ガイドライト９の前面全てを覆うように設ける。
この透明シート１０の後面（ガイドライト９側の面）には、光を拡散させる拡散印刷を全面に施して、拡散印刷部１０ａを設ける。
次に、透明シート１０の前面側（第１光源３及び第２光源４と反対側の面）には、消灯時に外光によって印刷パターンが見えてしまうのを防ぐために全体的に透光性が低くされたスモークレンズ１１を設ける。
【００１２】
ここで、スモークレンズ１１、透明シート１０、ガイドライト９を取り付けたスライダ８を、ガイドハウジング７のレール部分に係合させて前後に摺動自在にする。
これにより、スライダ８をタクトスイッチ５に向かって押すと、スライダ８が摺動してガイドライト９の後面がタクトスイッチ５を押す配置にする。
また、押された後に、自由状態にすると、タクトスイッチの反力で戻る構成にする。
また、スライダ８の内側の枠形状部分は、ガイドライト９の後面よりも、さらに後方に延長し、第１光源３及び第２光源４の側方を覆うようにする。
【００１３】
さらに、実施例１では、透明シート１０の前面に、第１印刷部分１０ｂ、第２印刷部分１０ｃ、重なり部分１０ｄ（第１表示１２と第２表示１３の重複部分に相当する）、背景印刷部分１０ｅ（第３印刷部分に相当する）を設ける。
ここで、第１表示１２を図５(a)に示すようにアルファベットの「Ａ」、第２表示を図５(b)に示すようにアルファベットの「Ｅ」とする。
第１印刷部分１０ｂは、第１表示１２である「Ａ」の第２表示１３「Ｅ」と重ならない図６(b)の部分であり、赤色光を通過させる赤い色の印刷である。この第１印刷部分１０ｂの波長に対する透過効率の特性は、図７の線２１で示す特性となる。
【００１４】
第２印刷部分１０ｃは、第１表示１２である「Ａ」の第２表示１３「Ｅ」と重ならない「Ｅ」の一部分であり、青色光を通過させる青い色の印刷である、この第２印刷部分１０ｃの波長に対する透過効率の特性は、図７の線２３で示す特性となる。
重なり部分１０ｄは、第１表示１２の「Ａ」と第２表示１３の「Ｅ」とが重なった部分である。実施例１では、この重なり部分１０ｄには、何も印刷をしない。
【００１５】
第１印刷部分１０ｂと第２印刷部分１０ｃは、実際に表示する第１表示１２及び第２表示１３よりやや幅広く印刷しておき、その上から黒い印刷である背景印刷部分１０ｅを印刷することにより、第１印刷部分１０ｂと第２印刷部分１０ｃの外周縁位置が決まるようにする。
さらに、重なり部分１０ｄと重なる範囲のガイドライト９の前面部分には、面が粗い梨地加工面を施し、梨地加工部９ａ（調光面部に相当する）を設ける。
【００１６】
次に作用を説明する。
［表示作用］
(a)第１表示
実施例１において、第１表示１２を表示させるには、第１光源３を点灯させ、第２光源４を消灯する。
第１光源３から発せられる光は、スライダ８の内側枠で、第１光源３の側方に発散する光、及びガイドライト９の中を前方以外に発散する光を前方に反射すると共に、ガイドライト９が前方に光を向かいやすくする。
ガイドライト９の前面において、梨地加工部９ａでは、表面の梨地により、光が拡散してガイドライト９から発せられる。そのため、梨地加工部９ａから前方の透明シート１０に向かう光の輝度は低くなる。一方、梨地加工部９ａ以外の部分から前方の透明シート１０に向かう光の輝度は高い。
このように輝度に高低差をつけた状態で、ガイドライト９の前面から光が透明シート１０に入光される。
【００１７】
透明シート１０の背面には、拡散印刷部１０ａを設けているので、ガイドライト９からの光は拡散される。その後、透明シート１０を通過し、透明シート１０の前面まで光が到達すると、第１印刷部分１０ｂでは、図７に示すように第１光源３の光を通過させる（符号２１と符号２２で示す関係）ため、第１印刷部分１０ｂが明るく表示される。
拡散印刷部１０ａにより光を拡散して行うため、光源の位置に重なる部分の輝度が最も高くなりすぎることがなく、均一した表示になる。
さらに、重なり部分１０ｄは、梨地加工部９ａにより輝度が落ちた状態で、第１光源の色がそのまま表示される。
一方、第２印刷部分１０ｃは、図７において線２３で示す特性となるため、線２３と線２２の関係により第１光源３の光は通過できない。
これにより、第１表示１２つまり、図５(a)に示す「Ａ」が表示されることになる。
【００１８】
(b)第２表示
実施例１において、第２表示１３を表示させるには、第２光源４を点灯させ、第１光源３を消灯する。
すると、第２印刷部分１０ｃと第２光源４との関係は、図７の線２３と線２４の関係となるため、第２印刷部分１０ｃが明るく表示される。
さらに、重なり部分１０ｄは、梨地加工部９ａにより輝度が落ちた状態で、第２光源の色がそのまま表示される。
一方、第１印刷部分１０ｂと第２光源４との関係は、図７において、線２１と線２４の関係となるため、第２光源４の光は通過できない。
これにより、第２表示１３つまり、図５(b)に示す「Ｅ」が表示されることになる。
【００１９】
［スイッチ作用］
実施例１では、上記のように、スイッチで表示する意匠を第１表示１２、第２表示に切り換え、どちらかの状態で、操作する人がスモークレンズ１１を押すと、スライダ８がスイッチフィニッシャ２に対して後方に摺動し、ガイドライト９の後面がタクトスイッチ５を押す。
スイッチ１としては、基板６に設けられる図示しない回路によって、どちらの表示状態において、タクトスイッチ５に入力があったかを判断し、操作入力として使用する。
これにより、１つのスイッチにおいて、異なるモードでの操作入力が可能となる。
【００２０】
［コスト抑制作用及び光漏れ防止作用］
実施例１では、梨地加工部９ａを設けることにより、重なり部分１０ｄを印刷で設けない。重なり部分１０ｄは、第１印刷部分１０ｂ、第２印刷部分１０ｃと直接つながった表示となる部分であり、この部分がズレると、表示品質が低下する。また、重なり部分１０ｄが第１印刷部分１０ｂ又は第２印刷部分１０ｃと離れるようにズレると、光漏れが生じることになる。
そのため、重なり部分１０ｄを印刷で設ける場合には、精度が必要となる。
しかし、実施例１では、重なり部分１０ｄに印刷を施さないため、印刷精度を抑えることができ、よってコストが抑えられる。
また、印刷位置ズレによる光漏れは生じない。
さらに、ガイドライト９に設けた梨地加工部９ａは、樹脂製のガイドライト９の成形時に設ける。予め成形型に梨地部分を設ければよいためコストは抑制される。
【００２１】
［表示品質の向上作用］
(a)重なり部分１０ｄに印刷を施さない作用
重なり部分１０ｄに印刷を施さないことは、意匠（図５に示す「Ａ」又は「Ｅ」）を構成する部分に印刷ズレが生じないことになる。
印刷ズレがあると、その部分が目立ってしまい表示品質が低下するが、実施例１では印刷ズレがないため、表示品質が向上する。
【００２２】
(b)ガイドライト９の作用
実施例１では、スライダ８の内側の枠状部分により第１光源３及び第２光源４の側方の光をガイドライト９へ送り、ガイドライト９は、スライダ８の内側の枠状部分とともに、光を前方に送るようにする。よって、第１表示１２、第２表示１３の全体的な輝度を明るくする。
これにより、スモークレンズ１１で、日光の反射等により表示させていない意匠の印刷部分が操作する人に見えなくし、表示部分は、明るい輝度により見やすく表示する。
【００２３】
(c)重なり部分１０ｄに印刷を施さずガイドライト９に梨地加工部９ａを設ける作用
重なり部分１０ｄと第１印刷部分１０ｂとでは、第１印刷部分１０ｂの透過率が１００％ではないため、明るさに差が出る。そのため、第１表示１２のなかで、明るさの異なる部分が出来てしまう。これを解決するために、重なり部分１０ｄに印刷を施して明るさを調整することが考えられるが、この場合、通常の印刷精度では、明るさ調整用の印刷と第１印刷部分１０ｂとがラップしたり隙間ができたりして、きれいな第１表示１２が得られないという問題がある。第２表示１３に対しても同じ問題がある。実施例１では、重なり部分１０ｄに印刷を施さず、ガイドライト９に梨地加工部９ａを設けて輝度を低下させる調光を行なう。梨地による調光のエッジは鋭くないので、第１印刷部１０ｄと多少ずれたとしても、第１表示１２の中で、極端な明るさのムラはできず、表示品質が向上する。
【００２４】
次に、効果を説明する。
【００２５】
実施例１の可変表示構造及び可変表示構造を備えるスイッチにあっては、下記に列挙する効果を得ることができる。
【００２６】
(1)透光性のある透明シート１０に波長の異なる第１光源３の光と第２光源４の光を切り換えて投光させ、第１表示１２と第２表示１３を行わせる可変表示構造であって、透明シート１０に施された、第１光源３の波長のみを透過させる第１印刷部分１０ｂと、透明シート１０に施された、第２光源４の波長のみを透過させる第２印刷部分１０ｃと、透明シート１０に施された、第１光源３の波長と第２光源４の波長を透過させない背景印刷部分１０ｅと、透明シート１０と、第１光源３、第２光源４との間で光を透明シート１０に向かわせやすくするガイドライト９と、第１表示１２と第２表示１３の重複する部分に重なるガイドライト９の部分で、通過する光量を抑制する梨地加工部９ａとを備え、第１表示１２と第２表示１３の重複する部分には印刷を施さないため、高精度の印刷が必要なく、低コストの生産が可能であると共に、光漏れなどの不具合を生じにくくでき、良好な表示品質を得ることができる。
【００２７】
(2)調光面部が、ガイドライト９の透明シート１０側の面に梨地加工を施した梨地加工部９ａであるため、コストを抑制して調光により表示品質を向上できる。
【実施例２】
【００２８】
実施例２は、調光面部がローレット加工を施したものである例である。
すなわち、図８に示すように、ガイドライト９の透明シート１０側の面にローレット加工を施したローレット加工部２５を設ける。
このようにローレット加工では、その形状が規則的であるため、調光が行いやすい。例えば、ローレット溝の数や溝深さ等である。また、樹脂成形の金型にローレット加工を施せばよいため、コストが抑制される。
なお、他の構成、作用効果は実施例１と同様であるので、説明を省略する
【００２９】
この実施例２の可変表示構造にあっては、実施例１の(1),(2)の効果に加え、下記の効果を得ることができる。
(3)調光面部が、ガイドライト９の透明シート１０側の面にローレット加工を施したローレット加工部２５を設けたため、コストを抑制して調光により表示品質を向上できる。
【実施例３】
【００３０】
実施例３は、調光面部が光拡散シートで設けられる例である。
すなわち、図９に示すように、ガイドライト９の透明シート１０側の面に光拡散シート２６を設ける。
このようにガイドライト９と別体のものにより第１表示１２と第２表示１３の重複する重なり部分１０ｄの調光を行うようにしてもよい。
その他、構成、作用効果は実施例１と同様であるので、説明を省略する。
【実施例４】
【００３１】
実施例４はガイドライトの後面に後側梨地加工面を設けた例である。
すなわち、図１０に示すように、ガイドライト９の第１光源３、第２光源４側となる後面に梨地加工を施した後側梨地加工面２７を設けている。
なお、実施例１に対し、拡散印刷部１０ａは設けない。他の構成は実施例１と同様であるので説明を省略する。
作用を説明する。
［光を均一にし、コストを抑制する作用］
ガイドライト９の後面に後側梨地加工面２７を設けると、第１光源３、第２光源４からの光は、ガイドライト９に入光する際に適度に拡散される。よって、ガイドライト９の前面から光が出る際に、第１光源３、第２光源４と重なる位置の輝度が最も高くなることなく均一な光を得ることになる。
この後側梨地加工面２７を設けることにより、透明シート１０の拡散印刷部１０ａは設ける必要がなくなる。後側梨地加工面２７は、ガイドライト９の樹脂成形の際に型に梨地加工を施せばよいので、コストが抑制される。
【００３２】
効果を説明する。
(5)ガイドライト９の第１光源３及び第２光源４側の面、つまり後面に梨地加工を施した後側梨地加工面２７を儲けて、第１光源３及び第２光源４の光を拡散させるようにしたため、コストを抑制して均一な明るさの表示にできる。
【実施例５】
【００３３】
実施例５は、シートとして拡散シート２８を用いた例である。
すなわち、図１１、図１２（光の通過状態を示すため一部のハッチングを省略）に示すように、シートとして拡散シート２８を設け、拡散シート２８に、第１印刷部分１０ｂ、第２印刷部分１０ｃ、重なり部分１０ｄ、背景印刷部分１０ｅを設ける。拡散印刷部１０ａは設けない。
よって製造コストが抑制される。
このようにして、第１光源３、第２光源４と重なる位置の輝度が最も高くしないよう拡散させ、均一な光を得るようにしてもよい。
その他構成、作用効果は実施例１と同様であるので、説明を省略する。
【００３４】
以上、本発明の可変表示構造を実施例１〜実施例５に基づき説明してきたが、具体的な構成については、これらの実施例に限られるものではなく、特許請求の範囲の各請求項に係る発明の要旨を逸脱しない限り、設計の変更や追加等は許容される。
【００３５】
例えば実施例１では、２つの光源として、ピークが約６００nmであるものと約５００nmであるものを用いたが、ピークが他の値となる他の特性のもの、つまり他の色で発光する光源を用いてもよい。
また、さらに多くの光源及びこれに対応する印刷部分を設けるようにしてもよい。
【図面の簡単な説明】
【００３６】
【図１】実施例１の可変表示構造を示す断面図である。
【図２】実施例１の可変表示構造のガイドライトの断面図である。
【図３】実施例１の可変表示構造の説明図である。
【図４】実施例１の可変表示構造の光の通過状態を示す説明図である。
【図５】実施例１の可変表示構造の表示例を示す説明図である。
【図６】実施例１の可変表示構造の第１印刷部分、第２印刷部分、第１表示と第２表示の重なり部分の説明図である。
【図７】実施例１の可変表示構造の第１印刷部分、第２印刷部分の特性と第１光源、第２光源の波長の関係を示す説明図である。
【図８】実施例２の可変表示構造のガイドライトの断面図である。
【図９】実施例３の可変表示構造のガイドライトの断面図である。
【図１０】実施例４の可変表示構造のガイドライトの断面図である。
【図１１】実施例５の可変表示構造の説明図である。
【図１２】実施例５の可変表示構造の光の通過状態を示す説明図である。
【符号の説明】
【００３７】
１  スイッチ
２  スイッチフィニッシャ
３  第１光源
４  第２光源
５  タクトスイッチ
６  基板
７  ガイドハウジング
８  スライダ
９  ガイドライト
９ａ  梨地加工部
１０  透明シート
１０ａ  拡散印刷部
１０ｂ  第１印刷部分
１０ｃ  第２印刷部分
１０ｄ  重なり部分
１０ｅ  背景印刷部分
１１  スモークレンズ
１２  第１表示
１３  第２表示
２１  （第１印刷部分の）特性を示す線
２２  （第１光源の）特性を示す線
２３  （第２印刷部分の）特性を示す線
２４  （第２光源の）特性を示す線
２５  ローレット加工部
２６  光拡散シート
２７  後側梨地加工面
２８  拡散シート
【図１】
2005241759.tif 000003
【図２】
2005241759.tif 000004
【図３】
2005241759.tif 000005
【図４】
2005241759.tif 000006
【図５】
2005241759.tif 000007
【図６】
2005241759.tif 000008
【図７】
2005241759.tif 000009
【図８】
2005241759.tif 000010
【図９】
2005241759.tif 000011
【図１０】
2005241759.tif 000012
【図１１】
2005241759.tif 000013
【図１２】
2005241759.tif 000014